(57)【要約】【課題】  装用したままで横臥等ができるとともに、通常使用にも向く眼鏡用フレームを提供する。【解決手段】  本発明は、フロント部の両側の智に、ヒンジ手段を介してテンプルが開位置と閉位置との間で回動可能に取り付けられた眼鏡用フレームであって、前記テンプルが、前記開位置にあるとき、前記ヒンジ手段から所定長外向き後方に延びる第１外向き後方延在部とこの第１外向き後方延在部の後端から所定長内向き後方に延びる第１内向き後方延在部とを有する連結部、および前記第１内向き後方延在部の後端から所定長外向き後方に延びる第２外向き後方延在部とこの第２外向き後方延在部の後端から所定長内向き後方に延びる第２内向き後方延在部とを有するテンプル本体を備え、前記テンプル本体全体が装着者の側頭部に沿って密着するようになっていることを特徴とする。【選択図】  図１
2014170025.tif 000002
【特許請求の範囲】
【請求項１】
フロント部の両側の智に、ヒンジ手段を介してテンプルが開位置と閉位置との間で回動可能に取り付けられた眼鏡用フレームであって、前記テンプルが、前記開位置にあるとき、前記ヒンジ手段から所定長外向き後方に延びる第１外向き後方延在部とこの第１外向き後方延在部の後端から所定長内向き後方に延びる第１内向き後方延在部とを有する連結部、および前記第１内向き後方延在部の後端から所定長外向き後方に延びる第２外向き後方延在部とこの第２外向き後方延在部の後端から所定長内向き後方に延びる第２内向き後方延在部とを有するテンプル本体を備え、前記テンプル本体全体が装着者の側頭部に沿って密着するようになっていることを特徴とする眼鏡用フレーム。
【請求項２】
前記智は、前記フロント部から後端が装着者の顔の近傍まで後方に延びる上下一対の水平棒状部材およびこれらの一対の水平棒状部材の後端に亘って延びる垂直棒状部材を備えている請求項１に記載の眼鏡用フレーム。
【請求項３】
前記ヒンジ手段が、前記智の基部内側に取り付けられており、先端がこのヒンジ手段に取り付けられた前記テンプルは、一旦、智の部分を外側に向かって延びた後方向を変えて、智の垂直棒状部材の内側を通って内向きに延び、眼鏡を装着者に装着した状態で、該テンプルは、前記智の垂直棒状部材によって外向きの回動が所定位置で規制されるようになっている請求項２に記載の眼鏡用フレーム。
【請求項４】
前記テンプルの少なくとも前記前記智の垂直棒状部材に当接する部分が弾性材料で形成されており、眼鏡を装着者に装着した状態で、該テンプルは、前記智の垂直棒状部材によって内向きに付勢されるようになっている請求項３に記載の眼鏡用フレーム。
【請求項５】
前記テンプルの外向きの回動の規制および／または前記テンプルの内向きへの付勢は、前記智の垂直棒状部材が前記連結部の第１内向き後方延在部に当接することにより行われる請求項３または４に記載の眼鏡用フレーム。
【請求項６】
前記フロント部の幅が装着者の顔の幅より狭い請求項１〜５のいずれかに記載の眼鏡用フレーム。
【請求項７】
フロント部の両側の智に、ヒンジ手段を介してテンプルが開位置と閉位置との間で回動可能に取り付けられた眼鏡用フレームであって、前記テンプルが、前記開位置にあるとき、前記ヒンジ手段から所定長内向き後方に延びる連結部、およびこの連結部の後端から所定長外向き後方に延びる外向き後方延在部とこの外向き後方延在部の後端から所定長内向き後方に延びる内向き後方延在部とを有するテンプル本体を備え、前記テンプル本体全体が装着者の側頭部に沿って密着するようになっていることを特徴とする眼鏡用フレーム。
【請求項８】
前記智は、前記フロント部から後端が装着者の顔の近傍まで後方に延びる上下一対の水平棒状部材およびこれらの一対の水平棒状部材の後端に亘って延びる垂直棒状部材を備えている請求項７に記載の眼鏡用フレーム。
【請求項９】
前記ヒンジ手段が、前記智の基部外側に取り付けられており、先端がこのヒンジ手段に取り付けられた前記テンプルは、前記連結部において、智の垂直棒状部材の内側を通って内向きに延び、眼鏡を装着者に装着した状態で、該テンプルは、前記智の垂直棒状部材によって外向きの回動が所定位置で規制されるようになっている請求項８に記載の眼鏡用フレーム。
【請求項１０】
前記テンプルの少なくとも前記前記智の垂直棒状部材に当接する部分が弾性材料で形成されており、眼鏡を装着者に装着した状態で、該テンプルは、前記智の垂直棒状部材によって内向きに付勢されるようになっている請求項９に記載の眼鏡用フレーム。
【請求項１１】
前記テンプルの外向きの回動の規制および／または前記テンプルの内向きへの付勢は、前記智の垂直棒状部材が前記連結部の第１内向き後方延在部に当接することにより行われる請求項９または１０に記載の眼鏡用フレーム。
【請求項１２】
前記フロント部の幅が装着者の顔の幅より狭い請求項７〜１１のいずれかに記載の眼鏡用フレーム。
【発明の詳細な説明】
【技術分野】
【０００１】
本発明は、眼鏡用フレームに関するものである。
【背景技術】
【０００２】
眼鏡用フレームは、通常、図６に示したように、フロント部１００の両側の智１０２に、ヒンジ手段１０４を介してテンプル１０６が開位置と閉位置との間で回動可能に取り付けられた構造を有している。そして、一般的な眼鏡用フレームにあっては、図６に示すように、テンプル１０６は、水平方向では、実質的に直線状となっており、テンプル１０６が装着者の側頭部Ｈ０に触れるのは、側頭部後方部分Ｈ１のみである。
【０００３】
このような眼鏡用フレームを用いた眼鏡を装用したままの状態で横臥すると（例えば、横臥した状態でテレビを見る場合等）、テンプルが手の平や枕やマットなどで押圧されて、テンプルの後方部分では側頭部側から拡げようとする力Ｆ１が加わり、一方前方部分では智１０２を支点としてテンプル自体が持つ弾力性とヒンジの形状により、側頭部方向への力Ｆ２が加わり、フレームが変形したり、図７の破線で示したように眼鏡装着位置がずれたりすることがある。
【０００４】
そこで、特開２００２−６２６６号公報では、特に幼児、老人、障害者用として、就寝時や横臥時でもなんら問題無く装用を続けることができるメガネフレームが提案された。
この公報で提案されたメガネフレームは、フロント部とテンプルとからなるメガネフレームにおいて、装着者の顔面に接する保持箇所を鼻骨部と左右頬骨上部の３箇所とすると共に、装着者の耳上方から後頭部にかけて囲繞する保持バンドを取りはずし自在にフロント部の両端間に取り付けた構造のものである。
【０００５】
この構造のメガネフレームによれば、保持が極めて確実に行われるので、横臥中も含め終日装用を必要とする幼児や、身障者、老人などとして最適であるだけではなく、激しい動きに耐えなければならないスポーツ用としても適しており、すぐれた実用的価値を持つものと考えられる。
【先行技術文献】
【特許文献】
【０００６】
【特許文献１】特開２００２−６２６６号公報
【発明の開示】
【発明が解決しようとする課題】
【０００７】
しかしながら、上記の従来のメガネフレームは、テンプル部の構造が複雑であるとともに、全体の構造から見て、いかにも医療用等として用いられるものであるとの特殊な印象を受け、通常使用には向かないものと考えられる。
【０００８】
そこで本発明は、装用したままで横臥等ができるとともに、通常使用にも向く眼鏡用フレームを提供することを目的とするものである。
【０００９】
本発明の上記目的は、下記（１）〜（１２）の構成の本発明に従う眼鏡用フレームにより達成される。
（１）
フロント部の両側の智に、ヒンジ手段を介してテンプルが開位置と閉位置との間で回動可能に取り付けられた眼鏡用フレームであって、前記テンプルが、前記開位置にあるとき、前記ヒンジ手段から所定長外向き後方に延びる第１外向き後方延在部とこの第１外向き後方延在部の後端から所定長内向き後方に延びる第１内向き後方延在部とを有する連結部、および前記第１内向き後方延在部の後端から所定長外向き後方に延びる第２外向き後方延在部とこの第２外向き後方延在部の後端から所定長内向き後方に延びる第２内向き後方延在部とを有するテンプル本体を備え、前記テンプル本体全体が装着者の側頭部に沿って密着するようになっていることを特徴とする眼鏡用フレーム。
（２）
前記智は、前記フロント部から後端が装着者の顔の近傍まで後方に延びる上下一対の水平棒状部材およびこれらの一対の水平棒状部材の後端に亘って延びる垂直棒状部材を備えている上記（１）に記載の眼鏡用フレーム。
（３）
前記ヒンジ手段が、前記智の基部内側に取り付けられており、先端がこのヒンジ手段に取り付けられた前記テンプルは、一旦、智の部分を外側に向かって延びた後方向を変えて、智の垂直棒状部材の内側を通って内向きに延び、眼鏡を装着者に装着した状態で、該テンプルは、前記智の垂直棒状部材によって外向きの回動が所定位置で規制されるようになっている上記（２）に記載の眼鏡用フレーム。
（４）
前記テンプルの少なくとも前記前記智の垂直棒状部材に当接する部分が弾性材料で形成されており、眼鏡を装着者に装着した状態で、該テンプルは、前記智の垂直棒状部材によって内向きに付勢されるようになっている上記（３）に記載の眼鏡用フレーム。
（５）
前記テンプルの外向きの回動の規制および／または前記テンプルの内向きへの付勢は、前記智の垂直棒状部材が前記連結部の第１内向き後方延在部に当接することにより行われる上記（３）または（４）に記載の眼鏡用フレーム。
（６）
前記フロント部の幅が装着者の顔の幅より狭い上記（１）〜（５）のいずれかに記載の眼鏡用フレーム。
（７）
フロント部の両側の智に、ヒンジ手段を介してテンプルが開位置と閉位置との間で回動可能に取り付けられた眼鏡用フレームであって、前記テンプルが、前記開位置にあるとき、前記ヒンジ手段から所定長内向き後方に延びる連結部、およびこの連結部の後端から所定長外向き後方に延びる外向き後方延在部とこの外向き後方延在部の後端から所定長内向き後方に延びる内向き後方延在部とを有するテンプル本体を備え、前記テンプル本体全体が装着者の側頭部に沿って密着するようになっていることを特徴とする眼鏡用フレーム。
（８）
前記智は、前記フロント部から後端が装着者の顔の近傍まで後方に延びる上下一対の水平棒状部材およびこれらの一対の水平棒状部材の後端に亘って延びる垂直棒状部材を備えている上記（７）に記載の眼鏡用フレーム。
（９）
前記ヒンジ手段が、前記智の基部外側に取り付けられており、先端がこのヒンジ手段に取り付けられた前記テンプルは、前記連結部において、智の垂直棒状部材の内側を通って内向きに延び、眼鏡を装着者に装着した状態で、該テンプルは、前記智の垂直棒状部材によって外向きの回動が所定位置で規制されるようになっている上記（８）に記載の眼鏡用フレーム。
（１０）
前記テンプルの少なくとも前記前記智の垂直棒状部材に当接する部分が弾性材料で形成されており、眼鏡を装着者に装着した状態で、該テンプルは、前記智の垂直棒状部材によって内向きに付勢されるようになっている上記（９）に記載の眼鏡用フレーム。
（１１）
前記テンプルの外向きの回動の規制および／または前記テンプルの内向きへの付勢は、前記智の垂直棒状部材が前記連結部に当接することにより行われる上記（９）または（１０）に記載の眼鏡用フレーム。
（１２）
前記フロント部の幅が装着者の顔の幅より狭い上記（７）〜（１１）のいずれかに記載の眼鏡用フレーム。
【発明の効果】
【００１０】
本発明の眼鏡用フレームは、上記のような構成であるので、テンプルのほぼ全体を占めるテンプル本体が眼鏡装着者の側頭部に沿って密着し、外力が加わったとしても、この密着状態が維持され、眼鏡がずれたり、歪んだりしたりすることがない。しかも、テンプルの前方側の連結部と後方側のテンプル本体との間に、内向き凹部が形成されるので、この内向き凹部に枕等がフィットすることにより、メガネのフレームが斜めに移動してしまったり、横方向にずれたりしてしまうことがない。
【００１１】
また、本発明の眼鏡用フレームにおいては、上記特許公報に開示されたメガネフレームのように、テンプルに保持バンドを設けたり、軟質クッション材を貼付したりしないので、見た目の形状としては、通常の眼鏡用フレームと同様であり、したがって、通常装用にも全く違和感がない。
【図面の簡単な説明】
【００１２】
【図１】本発明の実施の形態による眼鏡用フレームの平面図である。
【図２】図１に示した眼鏡用フレームの智およびその近傍テンプルの形態を示す図である。
【図３】図１に示した眼鏡用フレームを用いた眼鏡を装着した状態で示す正面図である。
【図４】本発明の他の実施の形態による眼鏡用フレームの平面図である。
【図５】図４に示した眼鏡用フレームの智およびその近傍テンプルの形態を示す図である。
【図６】従来の眼鏡用フレームの構造とその欠点を説明するための図である。
【図７】従来の眼鏡用フレームに横からの力が加わったときに起こるフレームの変形状態を示す図である。
【発明を実施するための形態】
【００１３】
図１は、本発明の実施の形態による眼鏡用フレーム１０の平面図である。
【００１４】
この実施の形態による眼鏡用フレーム１０は、フロント部１２、このフロント部１２の両側の取り付けられた智１４、この智１４に、ヒンジ手段１６を介して開位置と閉位置との間で回動可能に取り付けられたテンプル１８を備えている。
【００１５】
前記テンプル１８は、前記開位置にあるとき、前記ヒンジ手段１６から所定長外向き後方に延びる第１外向き後方延在部２０とこの第１外向き後方延在部２０の後端２０ａから所定長内向き後方に延びる第１内向き後方延在部２２とを有する連結部２４、および前記第１内向き後方延在部２２の後端２２ａから所定長外向き後方に延びる第２外向き後方延在部２６とこの第２外向き後方延在部２６の後端２６ａから所定長内向き後方に延びる第２内向き後方延在部２８とを有するテンプル本体３０を備え、前記テンプル本体３０のほぼ全体が装着者の側頭部Ｈ０に沿って密着するようになっている。
【００１６】
前記智１４は、その先端１４ａが前記フロント部１２に固定され、所定長横に張り出し、側部端から後端が装着者の顔の近傍まで後方に延びる上下一対の水平棒状部材１４ｂおよび１４ｃおよびこれらの一対の水平棒状部材１４ｂおよび１４ｃの後端に亘って延びる垂直棒状部材１４ｅを備えている。
【００１７】
前記ヒンジ手段１６は、前記智１４の基部内側に取り付けられている。前記テンプル１８の連結部２４は、その第１外向き後方延在部２０の先端がこのヒンジ手段１６に取り付けられ、またその第１内向き後方延在部２２において、智１４の垂直棒状部材１４ｅの内側を通って内向きに延び、眼鏡を装着者に装着した状態で、該テンプルは、前記智の垂直棒状部材によって外向きの回動が所定位置で規制されるようになっている。
【００１８】
前記テンプル１８の少なくとも前記前記智の垂直棒状部材に当接する部分が弾性材料で形成されており、眼鏡を装着者に装着した状態で、該テンプルは、前記智の垂直棒状部材によって内向きに付勢されるようになっていることが好ましい。
【００１９】
前記テンプルの外向きの回動の規制および／または前記テンプルの内向きへの付勢は、智１４の垂直棒状部材１４ｅは、前記第１内向き後方延在部２２の後端近傍で当接することによって行われることが好ましい。
【００２０】
本発明の実施の形態による眼鏡用フレームのフロント部１２は、その幅が顔の幅より狭くされ、それに取り付けられた前記智１４の垂直棒状部材１４ｅの後端（力の支点）が、装着者の近傍になるようにしてあることが好ましい。すなわち、智１４によりテンプル１８の全体（テンプル本体に図１に矢印で示したような力を働かせ、該テンプル全体を装着者の側頭部Ｈ０全体に沿って密着させるようになっている。この作用は、テンプルの素材を従来のものより弾力性の富むものを用いることによって更に向上する。
【００２１】
以上のように、本眼鏡用フレームにおいては、力の支点が顔に近いこと、およびテンプル全体が装着者の側頭部に沿って密着していることから、横臥してりしてフレームに外力が加わったとしてもほとんど位置のズレや歪みがない。
【００２２】
次に図４、図５を参照して、本発明の他の実施の形態による眼鏡用フレームについて説明する。
この眼鏡用フレーム５０は、テンプルの連結部近傍の構造を除いては、上記眼鏡用フレーム１０の構造とほぼ同様であるので、眼鏡用フレーム１０の構造と同様の構造の部分については、同一の符号を付してその説明を省略する。
【００２３】
この眼鏡用フレーム５０は、フロント部５２と、連結部５４およびテンプル本体５６を有するテンプル５８とを備えている。このテンプル５８のテンプル本体５６の形状は、上記眼鏡用フレーム１０の構造とほぼ同じであるが、連結部５４の構造が異なっている。
【００２４】
すなわち、この眼鏡用フレーム５０においては、ヒンジ手段６０が智６２の基部内側に取り付けられており、前記テンプル５８は、連結部５４の先端がこのヒンジ手段に取り付けられ、そこから一旦外向きに延びることなく、智６２の垂直棒状部材６４の内側を通って内向きに延び、その後端からテンプル本体５６が延びている。
【００２５】
この眼鏡用フレーム５０の作用・効果は、上記した眼鏡用フレーム１０の作用・効果と同様である。
【００２６】
以上説明したように、本発明の眼鏡用フレームは、上記のような構成であるので、テンプルのほぼ全体を占めるテンプル本体が眼鏡装着者の側頭部に沿って密着し、外力が加わったとしても、この密着状態が維持され、眼鏡がずれたり、歪んだりしたりすることがない。しかも、テンプルの前方側の連結部と後方側のテンプル本体との間に、内向き凹部が形成されるので、この内向き凹部に枕等がフィットすることにより、メガネのフレームが斜めに移動してしまったり、横方向にずれたりしてしまうことがない。
【００２７】
また、本発明の眼鏡用フレームにおいては、上記特開２００２１−６２６６号公報特許公報に開示されたメガネフレームのように、テンプルに保持バンドを設けたり、軟質クッション材を貼付したりしないので、見た目の形状としては、通常の眼鏡用フレームと同様であり、したがって、通常装用にも全く違和感がない。
【符号の説明】
【００２８】
１０  眼鏡用フレーム
１２  フロント部
１４  智
１６  ヒンジ手段
１８  テンプル
２４  連結部
３０  テンプル本体
Ｈ０  装着者の側頭部
【図１】
2014170025.tif 000003
【図２】
2014170025.tif 000004
【図３】
2014170025.tif 000005
【図４】
2014170025.tif 000006
【図５】
2014170025.tif 000007
【図６】
2014170025.tif 000008
【図７】
2014170025.tif 000009